(57)【要約】【課題】ガラス扉を開放しなければ行うことができない作業を迅速かつ的確に行うことができるとともに、遊技機に取り付けられたガラス板を的確に収容することにより、ガラス板とガラス枠との間に隙間が生じさせ難いし、遊技盤や遊技媒体に対する操作により行われる不正行為を未然に防止することができる弾球遊技機を提供する。【解決手段】ガラス扉の下辺部の一定の位置に設けられた第１係合部と、支持枠の一定の位置に設けられた第２係合部と、第１係合部に係合し得る第１被係合部及び第２係合部に係合し得る第２被係合部を含む保持部材と、を有し、第１係合部に前記第１被係合部が係合するとともに、第２係合部に第２被係合部が係合したときには、第１係合部がガラス扉において設けられた位置と、第２係合部が支持枠において設けられた位置と、第１被係合部と第２被係合部との間の長さと、から定まる角度でガラス扉を支持枠に対して定置せしめるとともに、ガラス溝に延出する弾性変形可能な延出部材とガラス枠の側部とによってガラスを挟持する。【選択図】　　図３
2004057457.tif 000002
【特許請求の範囲】
【請求項１】
遊技盤の前方に位置付けられるガラスが設けられるとともに、支持枠に対して片持ち状で開閉可能に支持されるガラス扉を有し、前記支持枠に対して前記ガラス扉を開放保持する開放保持機構を含む弾球遊技機であって、
前記ガラス扉に設けられるガラス枠であり、前記ガラスの板厚よりも広い間隔で互いに離隔した２つの側部を有しかつ前記２つの側部の間に挿入されたガラスを案内するガラス溝を、形成するガラス枠と、を含み、かつ、
前記開放保持機構は、
前記ガラス扉の一定の位置に設けられた第１係合部と、
前記支持枠の一定の位置に設けられた第２係合部と、
前記第１係合部に係合し得る第１被係合部及び前記第２係合部に係合し得る第２被係合部を含む保持部材と、を有し、かつ、
前記第１係合部に前記第１被係合部が係合するとともに、前記第２係合部に前記第２被係合部が係合したときには、前記ガラス扉は、前記第１係合部が前記ガラス扉において設けられた位置と、前記第２係合部が前記支持枠において設けられた位置と、前記第１被係合部と前記第２被係合部との間の長さと、から定まる角度で前記支持枠に対して定置されるとともに、
前記ガラス枠は、前記ガラス溝に延出する弾性変形可能な延出部材を有し、かつ、
前記ガラス枠に前記ガラスが収容されたときには、前記側部と前記延出部材とによって前記ガラスは挟持されることを特徴とする弾球遊技機。
【発明の詳細な説明】
【０００１】
【発明の属する技術分野】
本発明は、ガラスが収容されるガラス枠が設けられたガラス扉を備える弾球遊技機に関する。
【０００２】
【従来の技術】
従来のパチンコ機やアレンジボール機等の遊技機には、遊技球等の遊技媒体を用いた遊技が実行される遊技盤が設けられている。遊技媒体を用いた遊技は、遊技盤上における遊技媒体の動作が遊技の進行を定めるものであるが故に、遊技媒体の動作を遊技者が不正に操作することを防止する必要があり、遊技盤の前方にはガラス板が設けられている。
【０００３】
一方、上述した如く、遊技媒体を用いた遊技は、遊技媒体の動作が遊技の進行を定めるものであり、遊技媒体の動作は、遊技盤に設けられた障害物、例えば釘等により直接的に制御される。このため、遊技媒体を用いた遊技においては、釘等の障害物の調整作業や、動作が不調となった遊技媒体を取り除いたりする作業等の遊技盤における調整作業が必要不可欠となる。このような遊技盤における調整作業をする際には、遊技盤の前方からガラス板を除去するか、作業の妨げとならないようにガラス板を移動させる必要が生ずる。
【０００４】
このような事情からガラス板を収容する部材は、扉状のもの、いわゆるガラス扉と称されるものにされ、ガラス扉は、遊技盤の前方で開閉可能な構造が採用されている。遊技盤における調整作業をする際には、ガラス扉は、開放状態にされて、調整作業が行われる。
【０００５】
また、ガラス板は、上述した如く、遊技媒体を用いた遊技機に必須のものであるが、破損したり傷ついたりしやすいという性質を有するものである故に、その取り扱いに注意を要するものでもある。
【０００６】
例えば、遊技機を遊技場に搬入して設置するような場合においては、その作業中にガラス板を破損させたりしないようにすべく、ガラス扉からガラス板を外した状態で搬入し、遊技機の設置後にガラス板をガラス扉に収容する方法が一般的に採用されている。
【０００７】
更に、上述した如く、遊技媒体の動作は、遊技の進行を定めるものであるが故に、遊技媒体の動作を遊技者に視認しやい状態を保つ必要もある。このため、遊技機が使用されていくに従って、ガラス板が傷ついたり汚れたりしたような場合には、新たなガラス板に交換する必要もある。
【０００８】
このようなガラス板の着脱作業を行うような場合においても、ガラス扉を開放状態にして、ガラス扉に収容するガラス板の着脱作業が行われる。
【０００９】
上述した如き現状から、遊技盤における調整作業や、ガラス板の着脱作業は、ガラス扉を開放状態にして行われるものであるが故に、ガラス扉を的確に開放状態にして、このような作業を容易に行うことができる装置が考え出されてきている。
【００１０】
例えば、特公平７−６３５４０号公報に開示されている装置においては、ガラス板を取り付けるガラス扉を開放したときに、その開放状態を維持させることにより、ガラス扉にガラス板を取り付ける作業を容易にせんとしてなされたものであった。
【００１１】
この従来の装置は、前枠に軸支されているガラス扉の上部に上下移動可能な開放保持杆を設け、ガラス扉が開放されたときに開放保持杆を上方向に移動させて開放保持杆の端部を突出させ、その端部が前枠に係合し得るようにしてガラス扉の閉方向への移動を妨げる開放機構を有するものであった。
【００１２】
しかしながら、上述した従来の装置では、ガラス扉が閉方向へ移動することを制限できるものの、ガラス扉が開方向へ移動することを制限するものではなかった。このため、ガラス扉の一定の回転角度における開放状態を維持することができず、ガラス扉は開方向に対しては移動することができるが故に、遊技盤における作業やガラスの着脱作業の間に、ガラス扉が次第に開いてしまい、これらの作業を迅速かつ的確に行うことが困難になり、作業性を低下させる場合が生じた。
【００１３】
また、遊技機を並設している遊技店において、遊技が行われているときに何らかの理由でガラス扉を開く必要が生じた場合には、上述した如く、従来の装置ではガラス扉の開方向への移動を制限するものではなかったが故に、ガラス扉が隣接した遊技機にまで開放されてしまうことがあり、隣接した遊技機で遊技を行っている遊技者に多大な迷惑をかけることも生じた。
【００１４】
このようなことから、従来の装置においては、遊技に対する不正を防止する観点からは、遊技盤の前方にガラス板を設ける構成とし、一方、遊技盤における調整作業を妨げないようにする観点からは、開閉可能なガラス扉にガラス板を設けるとともに、ガラス板を交換可能にするためにガラス扉に設けられたガラス枠にガラス板を着脱できるようにした構成が採用されている。
【００１５】
【発明が解決しようとする課題】
しかしながら、ガラス板は、上述した如く、遊技に対する不正を防止すべく設けられたものであるが、従来の装置においては、ガラス枠と、ガラス枠に係合し得る補強連杆と、によってガラス枠に収容されて、その収容状態が維持されるものであった。ここで、補強連杆は、ガラス枠の強度を所定のものに保たんとして設けられるものであり、ガラス板の着脱作業の操作性の観点から、ガラス枠の端部に係合されてガラス枠に取り付けられるものであった。
【００１６】
従って、従来の装置の構造においては、補強連杆の下端面とガラス板の上端面との間に若干の隙間が生じたり、ガラス枠の左の側辺とガラス板の左の側端面との間やガラス枠の右の側辺とガラス板の右の側端面との間にも若干の隙間が生じたりした。更に、ガラス枠によって形成されるガラス溝の幅が上述した作業を行うためにガラス板の厚みよりも若干広くなるようにガラス枠は形成されているため、ガラス溝とガラス板との間に前後方向の隙間も生じ得た。
【００１７】
このため、従来の装置は、ガラス板がガラス枠に対して、上下方向、左右方向及び前後方向に若干移動できるような構成となっていた。
【００１８】
一方、上述した如き遊技に対する不正行為は、遊技盤や遊技媒体に対する何らかの操作により行われるものであり、不正行為を試みんとする者は、上述した如きガラス板とガラス枠との間に生じ得る隙間を悪用し、その隙間から針金等の線材を挿入し、その線材でもって遊技盤や遊技媒体を操作しようとする。このような事情から、ガラス板とガラス枠との間に隙間を生じ得る従来の装置では、遊技盤や遊技媒体に対する不正行為を的確に防ぐことが困難であった。
【００１９】
本発明は、上述した如き課題に鑑みてなされたものであり、ガラス扉を開放しなければ行うことができない作業を迅速かつ的確に行うことができるとともに、遊技機に取り付けられたガラス板を的確に収容することにより、ガラス板とガラス枠との間に隙間が生じさせ難いし、遊技盤や遊技媒体に対する操作により行われる不正行為を未然に防止することができる弾球遊技機を提供することにある。
【００２０】
【課題を解決するための手段】
以上のような目的を達成するために、本発明における弾球遊技機は、ガラス扉の一定の位置に設けられた第１係合部に保持部材の第１被係合部を係合せしめ、支持枠の一定の位置に設けられた第２係合部に保持部材の第２被係合部を係合せしめることにより、第１係合部の位置と、第２係合部の位置と、第１被係合部と第２被係合部との間の長さと、から定まる角度で支持枠に対してガラス扉を定置せしめることを特徴とするものである。
【００２１】
即ち、前枠や固定枠等の支持枠とガラス扉との間に保持部材を介在せしめ、この保持部材によって、ガラス扉の開方向に対しても閉方向に対してもガラス扉の移動を制限するものは、本発明の概念に含まれるものである。
【００２２】
また、遊技機のガラス枠は、ガラス溝に延出する弾性変形可能な延出部材を有し、かつ、ガラス枠の側部と延出部材とによってガラスを挟持することを特徴とする。
【００２３】
即ち、弾性変形可能な延出部材によってガラス枠の側部にガラス板を押圧し、延出部材と側部とでガラス板を挟持せんとするものは、本発明の概念に含まれるものである。
【００２４】
より具体的には、本発明は以下の如き弾球遊技機を提供する。
（１）　遊技盤の前方に位置付けられるガラスが設けられるとともに、支持枠に対して片持ち状で開閉可能に支持されるガラス扉を有し、前記支持枠に対して前記ガラス扉を開放保持する開放保持機構を含む弾球遊技機であって、前記ガラス扉に設けられるガラス枠であり、前記ガラスの板厚よりも広い間隔で互いに離隔した２つの側部を有しかつ前記２つの側部の間に挿入されたガラスを案内するガラス溝を、形成するガラス枠と、を含み、かつ、前記開放保持機構は、前記ガラス扉の一定の位置に設けられた第１係合部と、前記支持枠の一定の位置に設けられた第２係合部と、前記第１係合部に係合し得る第１被係合部及び前記第２係合部に係合し得る第２被係合部を含む保持部材と、を有し、かつ、前記第１係合部に前記第１被係合部が係合するとともに、前記第２係合部に前記第２被係合部が係合したときには、前記ガラス扉は、前記第１係合部が前記ガラス扉において設けられた位置と、前記第２係合部が前記支持枠において設けられた位置と、前記第１被係合部と前記第２被係合部との間の長さと、から定まる角度で前記支持枠に対して定置されるとともに、前記ガラス枠は、前記ガラス溝に延出する弾性変形可能な延出部材を有し、かつ、前記ガラス枠に前記ガラスが収容されたときには、前記側部と前記延出部材とによって前記ガラスは挟持されることを特徴とする弾球遊技機。
【００２５】
上述した（１）の発明によれば、前記第１係合部に前記第１被係合部が係合するとともに、前記第２係合部に前記第２被係合部が係合したときには、前記第１係合部が前記ガラス扉において設けられた位置と、前記第２係合部が前記支持枠において設けられた位置と、前記第１被係合部と前記第２被係合部との間の長さと、から定まる角度で、ガラス扉は、前記支持枠に対して定置されるので、その角度におけるガラス扉の開放状態を保持することができ、ガラス扉の開方向に対しても閉方向に対してもガラス扉の移動を制限することができるので、ガラス扉を開放しなければ行うことができない作業を迅速かつ的確に行うことができる。
【００２６】
また、弾性変形可能な延出部材と、ガラス枠に形成された側部とに、よりガラスを挟持するので、ガラス板の収容状態を的確に維持することができ、ガラス板とガラス枠との間に隙間が生じさせ難くすることができ、ひいては、遊技盤や遊技媒体に対する操作により行われる不正行為を未然に防止することができる。
【００２７】
上述した（１）の発明において、「定置」とは、定まった位置に置くことや、位置、方向を変えないで置くことや、一定の位置に置くことを示す概念である。
【００２８】
【発明の実施の形態】
以下に、本発明の実施例について図面に基づいて説明する。
遊技機の一例である弾球遊技機１０の概観を示す図を図１及び図２に示す。尚、図２は、ガラス扉６０が前方に略９０度だけ開放されて、後述する如き前枠３０に対するガラス扉６０の開放角度が略９０度になるとともに、上皿３４が前方に略９０度だけ開放されたときの状態を示す図である。
【００２９】
この弾球遊技機１０には、所定の大きさに形成された矩形の枠で構成された固定保持用の外枠２０が設けられている。外枠２０は、木材や樹脂材等で成形された上下の枠板と左右の枠板とからなり、外枠２０全体の強度を高めるべく外枠２０の隅角部には互いに接し合う枠板を連結する補強金具（図示せず）が取り付けられている。
【００３０】
外枠２０の左側の上下には一対のヒンジ部２２ａ及び２２ｂが設けられている。ヒンジ部２２ａ及び２２ｂは、軸ピン（図示せず）と軸孔（図示せず）とからなり、軸孔に軸ピンを嵌挿して軸孔に対して軸ピンが回動可能にした構成にすることによりヒンジ形態をなす。外枠２０の前方に位置付けられる前枠３０は、木材や樹脂材等で成形され、外枠２０の前側の開口よりも若干小さい矩形の枠で構成されている。この前枠３０は、上述したヒンジ部２２ａ及び２２ｂによって前枠３０の左側の端部が片持ち状に支持されており、上述した軸ピンを回動中心として遊技機１０の前方向に外枠２０に対して開閉自在になされている。尚、本明細書において、回動とは、正方向にも負方向にも、例えば時計回りの方向にも反時計回りの方向にも円運動することを示す概念である。
【００３１】
前枠３０には、遊技盤３２や、遊技球を受けるための上皿３４及び下皿３６や、打球ハンドル３８や、ガラス扉６０等の各種の部材が設けられている。尚、遊技盤３２は、前枠３０に収容枠（図示せず）を設け、この収容枠に遊技盤３２を収容することにより前枠３０に取り付けることとしても、前枠３０に収容枠を設けずに前枠３０とは別体となった収容枠を設けて、その収容枠に遊技盤３２を収容することとしてもよい。
【００３２】
更に、前枠３０には、弾球遊技の全体を制御するための制御基板を含む裏セット盤（図示せず）や、賞球払出装置（図示せず）や、図２に示す如き上皿払出口４０等も設けられている。上皿払出口４０は、賞球払出装置から払い出される賞球を上皿３４に排出するための開口である。
【００３３】
ガラス扉６０は、矩形の形状を有し、樹脂材等の成形材料で成形されたガラス扉本体６２と、金属等の成形材料で成形されたガラス枠８０と、からなる。ガラス扉本体６２には、後述する図４に示す如き２枚のガラス板６４ａと６４ｂとが取り付けられて遊技盤３２を視認可能にする矩形の開口部６６が形成されている。
【００３４】
上述した前枠３０の左側の上下には、ヒンジ部７０ａ及び７０ｂが設けられており、ガラス扉６０は、ヒンジ部７０ａ及び７０ｂにより片持ち状に支持されている。ヒンジ部７０ａ及び７０ｂは、後述する図３に如く、軸ピン７２と軸孔７４とからなり、軸孔７４に軸ピン７２を嵌挿して軸孔７４に対して軸ピン７２が回動可能にした構成にすることによりヒンジ形態をなす。このようにガラス扉６０が、ヒンジ部７０ａ及び７０ｂを介して支持される構成としたことにより、ガラス扉６０は、遊技機１０の前方向に開閉自在にすることができる。
【００３５】
図２に示す如く、上述した如き上皿払出口４０は、前枠３０の左側の下側に設けれられおり、上皿払出口４０の上側には、払出口庇部４２が形成されている。また、上述したガラス枠８０は、ガラス扉６０の裏面に取り付けられている。ガラス枠８０は、金属製、例えばアルミ製であり、ガラス扉６０の開口部６６を周回するように形成されている。
【００３６】
上述したヒンジ部７０ｂの近傍を拡大して示した図を図３〜図５に示す。尚、図３〜図５においては、図中に示した白抜きの矢印が示す方向が遊技機の前方である。また、これらの図３〜図５は、ガラス扉６０を前枠３０に対して主に略９０度だけ遊技機の前方に開放したときの状態を示す図である。更に、図４は、図２に示したＩ−Ｉ線に沿った断面図であり、図５は、図２に示したＩＩ−ＩＩ線に沿った断面図である。
【００３７】
ヒンジ部７０ｂの一方の取付片７６ａは、前枠３０の端部にねじ止めされ、ヒンジ部７０ｂの他方の取付片７６ｂは、ガラス扉６０の端部にねじ止めされている。取付片７６ａと取付片７６ｂとは、軸ピン７２が軸孔７４に嵌挿されて構成されるヒンジ形態により回動可能に連結されている。このような構成としたことにより、前枠３０の前方向にガラス扉６０を開閉自在にすることができるのである。
【００３８】
また、図４に示す如く、ガラス扉６０の裏面には、ガラス枠８０が設けられており、ガラス枠８０には、２枚のガラス板６４ａ及び６４ｂが収容されている。
【００３９】
図３〜図５に示す如く、前枠３０とガラス扉６０との間には、開放機構１００と開放機構１６０とが設けられている。
【００４０】
開放機構１００は、支持杆１１０と、前枠３０に設けられた係合部１３０と、ガラス扉６０に設けられた係合部１５０と、からなる。
【００４１】
支持杆１１０は、２つの端部１１２と１１４とを有し、支持杆１１０は、断面が円形で長尺な形状を有する。２つの端部１１２と１１４との各々の近傍には、屈曲部を有し、２つの端部１１２と１１４との各々は、所望とする角度だけ折り曲げられたものとなっている。支持杆１１０の一方の端部１１２には、２つの鍔部１１６と１１８が、係合部１３０の幅と同一の間隔又は係合部１３０の幅よりも広い間隔を有するように形成されている。また、支持杆１１０の他方の端部１１４には、鍔部１２０が形成されている。
【００４２】
上述した如く、前枠３０の左側の下側に設けられた上皿払出口４０の上側には、払出口庇部４２が形成されている。この払出口庇部４２の上面には、上述した係合部１３０が払出口庇部４２に一体となって形成されている。尚、係合部１３０を払出口庇部４２と別体で形成し、ねじ等の固定部材で係合部１３０を払出口庇部４２に設けることとしてもよい。
【００４３】
また、払出口庇部４２の後側には、図４及び図５に示す如く遊技盤３２が位置付けられる。さらに、前枠３０に設けられた発射レール４４及び遊技盤３２に設けられた外レール４８は、図４に示す如く、図の右上側に位置し、遊技盤３２に設けられた内レール４６及び外レール４８は、図５に示す如く、図の右側に位置する。
【００４４】
係合部１３０は、長尺な形状を有し、Ｕ字形状の貫通溝１３２が複数個、例えば３個長手方向に沿って並設されている。支持杆１１０の端部１１２が、適切に貫通溝１３２に挿嵌されたときには、図４に示す如く、２つの鍔部１１６と１１８との間に係合部１３０が位置することとなる。このとき、端部１１２の下側の面は、貫通溝１３２の曲面に係合し、鍔部１１６は、係合部１３０の後面１３６に係合し、鍔部１１８は、係合部１３０の前面１３８に係合することとなり、支持杆１１０を係合部１３０に的確に係止させることができるのである。
【００４５】
尚、上述した実施例においては、係合部１３０が、払出口庇部４２の上面に設けられている場合を示したが、例えば発射レール４４や外レール４８の外側の領域等の打球が移動し得ない領域であれば何処の位置に係合部１３０を設けることとしてもよい。更に、好ましくは、打球が移動し得ない位置であるとともに、支持杆１１０を容易に係合させ易い位置や、ヒンジ部７０ｂに加わる力を分散させやすい位置に係合部１３０を設けることが望ましい。
【００４６】
支持杆１１０を容易に係合させ易い位置に係合部１３０を設けた場合には、ガラス扉６０を開放して行う作業をより容易にすることができるのである。また、ヒンジ部７０ｂに加わる力を分散させやすい位置に係合部１３０を設けた場合には、ガラス扉６０の開放状態をより的確に維持できることができるのである。
【００４７】
一方、ガラス扉６０の裏側に設けられたガラス枠８０の下辺には、水平に伸長する伸長部８２が形成されており、伸長部８２には、上述した係合部１５０が設けられている。この伸長部８２は、上皿３４とガラス扉６０との間の隙間から針金等の線材を挿入することにより、弾球遊技を有利なものに至らしめようとする不正行為を防止するために設けられているものである。
【００４８】
係合部１５０は、支持杆１１０の他方の端部１１４の直径よりも若干大きめの直径を有する円筒形の貫通孔１５２からなる。尚、図３〜図５に示した例においては、貫通孔１５２が１つのみ形成されている場合を示したが、複数の貫通孔を形成することとしてもよい。
【００４９】
支持杆１１０の端部１１４が、適切に貫通孔１５２に挿嵌されたときには、端部１１４の側面が貫通孔１５２の側面に係合し、支持杆１１０の端部１１４の鍔部１２０の下面は、伸長部８２の上面に係合することとなり、支持杆１１０を係合部１５０に的確に係止させることができるのである。
【００５０】
図４に示す如く、支持杆１１０の端部１１４が貫通溝１３２に適切に挿嵌され、端部１１４が貫通孔１５２に適切に挿嵌されたときには、前枠３０における貫通溝１３２の位置と、ガラス扉６０における貫通孔１５２の位置と、支持杆１１０の端部１１２と端部１１４との間の長さと、から、前枠３０に対するガラス扉６０の開放角度θが定まり、その開放状態でガラス扉６０を保持することができ、開放機構１００は、開放保持機構をなすこととなる。
【００５１】
また、上述した如く、係合部１３０には、複数個の貫通溝１３２が設けられているので、支持杆１１０の端部１１２を係合させる貫通溝を変えることにより、開放角度を異ならしめることができる。例えば、図４の二点鎖線で示す如く、係合部１３０の左端に位置する貫通溝１３２に端部１１２を係合させたときには、ガラス扉６０を開放角度θよりも大きい開放角度θ′でガラス扉６０を保持することができるできるのである。
【００５２】
更に、係合部１５０の貫通孔１５２を伸長部８２の異なる位置に複数個形成し、支持杆１１０の端部１１４を挿嵌する貫通孔を異なる位置のものに変更したときにも、前枠３０に対するガラス扉６０の開放角度を異ならしめることができ、その開放角度でガラス扉６０を開放保持することができる。
【００５３】
上述した例においては、支持杆１１０を係合部１３０と係合部１５０との双方について着脱可能にした場合を示した。このように支持杆１１０を着脱可能にしたことにより、係合部１３０や係合部１５０を設ける位置について自由度を持たせることができるのである。
【００５４】
上述した図３〜図５においては、ガラス扉６０が前枠３０に対して開放されたときの状態を示すものであった。これに対して、ガラス扉６０を前枠３０に対して閉じたときには、図６及び図７に示す如き位置関係となる。図６は、遊技機１０の前面の右側と左側とを拡大して示した断面図であり、遊技機１０の前面の中程を省略して示したもので、図１に示したＩＩＩ−ＩＩＩ線に沿った断面を示す断面図である。また、図７は、図１のＩＶ−ＩＶ線に沿った断面を示す断面図である。
【００５５】
ガラス扉６０が前枠３０に対して閉じられたときには、ガラス扉６０は、図６に示す施錠機構により、前枠３０に係止される。施錠機構は、ガラス枠８０の右側の端部に固着された突出固定部８４と、前枠３０の右側に設けられて上下方向に移動可能な可動部５０と、からなる。ガラス扉６０が前枠３０に対して閉じられたときには、可動部５０が突出固定部８４に掛止されることにより、ガラス扉６０は、前枠３０に係止されるのである。
【００５６】
図６に示す如く、ガラス扉６０が閉じられたときには、係合部１５０の貫通孔１５２は、払出口庇部４２の直上であり、外レール４８と前枠３０との間に位置し、他の部材と衝突したり接触したりしない位置に位置することとなる。
【００５７】
また、図７に示す如く、ガラス扉６０が前枠３０に対して閉じられたときには、ガラス枠８０の伸長部８２の端部は、払出口庇部４２の上に設けられた係合部１３０の直前に位置し、他の部材と衝突したり接触したりしない位置に位置することとなる。
【００５８】
上述した如き構成としたことにより、ガラス扉６０が前枠３０に対して閉じられた場合においても、係合部１３０と係合部１５０とは、周囲の部材と衝突したり接触したりしない位置に位置することとなるが故に、従前から使用されている弾球遊技機の部材の位置を変えることなく係合部１３０と係合部１５０とを新たに設けることができ、従前から使用されている弾球遊技機を有効に活用することができる。
【００５９】
上述した例においては、支持杆１１０の端部１１４をガラス扉６０の伸長部８２の上面に係合させる場合を示した。これに対して、図３の二点鎖線で示した如く、ガラス扉６０側に設けられる支持杆１１０′の端部１１４′を、ガラス扉６０の下辺の下面に枢設することとしてもよい。このようにしたときには、支持杆１１０′の他方の端部（図示せず）のみを前枠３０の係合部（図示せず）に係合させるだけで、ガラス扉６０を開放保持することができ、開放保持する作業性を高めることができる。更に、これに加え、支持杆１１０′を紛失することがなくなり、支持杆１１０′の管理を容易にすることができるともに、作業中に支持杆１１０′を探す手間がなくなるので、開放保持する作業性をより一層高めることもできるのである。
【００６０】
尚、この場合においては、図３に示すごとく、支持杆１１０′の形状を帯状のものとしたときには、支持杆１１０′を収容するための空間を新たに設ける必要がないが故に、従前から存在するガラス扉に変更を加えることなく活用することができるとともに、支持杆１１０′をガラス扉６０の下側に的確に収容することができるのである。尚、本明細書において、帯状とは、帯を広げた如き形状である態様や、ある所定の幅をもって長く延びている態様を示す概念である。
【００６１】
上述した開放機構１００の構成から以下の如き対応関係が成立する。即ち、遊技盤３２から「遊技盤」が構成され、ガラス板６４から「ガラス」が構成され、ガラス扉６０から「ガラス扉」が構成され、外枠２０又は前枠３０から「支持枠」が構成され、開放機構１００から「開放保持機構」が構成される。
【００６２】
また、係合部１５０から「第１係合部」が構成され、係合部１３０から「第２係合部」が構成され、端部１１４又は１１４′から「第１被係合部」が構成され、端部１１２から「第２被係合部」が構成され、支持杆１１０又は１１０′から「保持部材」が構成される。
【００６３】
このような構成により、「前記ガラス扉の下辺部の一定の位置に設けられた第１係合部と、前記支持枠の一定の位置に設けられた第２係合部と、前記第１係合部に係合し得る第１被係合部及び前記第２係合部に係合し得る第２被係合部を含む保持部材と、を有」することをなす。
【００６４】
更に、上述した如き構成としたことにより、「前記第１係合部に第１被係合部が係合するとともに、前記第２係合部に第２被係合部が係合したときには、前記ガラス扉は、前記第１係合部が前記ガラス扉において設けられた位置と、前記第２係合部が前記支持枠において設けられた位置と、前記第１被係合部と前記第２被係合部との間の長さと、から定まる角度で前記支持枠に対して定置される」ことをなす。
【００６５】
これにより、第１係合部に第１被係合部が係合するとともに、第２係合部に第２被係合部が係合したときには、ガラス扉を所定の角度で前記支持枠に対して定置することとなるが故に、ガラス扉が開放された状態を維持することができる。即ち、ガラス扉を所定の角度から開方向の移動についても閉方向の移動についても制限することができ、ガラス扉を開放して行う作業を迅速かつ的確に行うことができる。ガラス扉を開放して行う作業は、ガラス扉に対して行う作業、例えば、ガラスの取り付け作業等の作業のみならず、前枠や遊技盤に対して行う作業、例えば、釘調整等の作業であり、これらの作業を迅速かつ的確に行うことができ、作業の効率を高めることができるのである。
【００６６】
上述した図３〜図５に示した例においては、開放機構１００に加えて、ヒンジ部７０ｂの上部には開放機構１６０も設けられている。
【００６７】
開放機構１６０は、支持杆１７０と、前枠３０に設けられた係合部１９０と、ガラス扉６０に設けられた係合部２１０と、からなる。
【００６８】
支持杆１７０は、２つの端部１７２と１７４とを有し、支持杆１７０は、金属製、例えばアルミ製であり、帯状の形状を有する。
【００６９】
支持杆１７０の端部１７２の近傍においては、Ｌ字に屈曲する屈曲部を有し、端部１７２には、Ｕ字形状の切欠き部１７６が形成されている。
【００７０】
一方、支持杆１７０の端部１７４には、貫通孔１７８が形成されている。支持杆１７０は、貫通孔１７８を介して円柱形の支持部材１８０に、締結部材、例えばねじにより枢軸可能に取付けられている。支持部材１８０は、ガラス枠８０に形成された取付孔１８２に固定されている。このようにしたことにより、支持杆１７０は、支持部材１８０を介してガラス扉６０に対して回動可能に設けられることとなる。
【００７１】
尚、図３は、支持杆１７０と支持部材１８０とが、ガラス枠８０から分離した状態を示したものであるが、これは理解の容易のために示したものであり、実際には、図４及び図５に示す如く、支持杆１７０と支持部材１８０とは、ガラス枠８０に取り付けられている。
【００７２】
前枠３０の前面には、ヒンジ部７０ｂの取付片７６ａの上側において係合部１９０が設けられている。係合部１９０は、締結部材１９２、例えばネジからなり、図５中の円で囲まれた拡大部分に示す如く、締結部材１９２は、前枠３０との間の間隙が支持杆１７０の端部１７２の厚さよりも若干厚くなるように前枠３０に設けられている。このようにしたことにより、図４及び図５に示す如く、上述した支持杆１７０の端部１７２に形成された切欠き部１７６を、締結部材１９２と前枠３０との間隙、具体的には締結部材１９２の軸部に係合させることができるのである。
【００７３】
図３〜図５に示す如く、開放機構１００において、支持杆１１０の端部１１２が、貫通溝１３２に係合するとともに、支持杆１１０の端部１１４が、貫通孔１５２に係合したときには、第１係合態様をなし、前枠３０に対するガラス扉６０の開放角度θが定まり、その開放状態でガラス扉６０を保持することができるのである。さらに、この第１係合態様に加えて、開放機構１６０において、支持杆１７０の切欠き部１７６を締結部材１９２に係合させたときには、第２係合態様をなす。このとき、前枠３０における締結部材１９２の位置と、ガラス扉６０における支持部材１８０の位置と、支持杆１７０の貫通孔１７８と切欠き部１７６との間の長さと、から、定まる角度は、上述した開放角度θと略同一となる。この第１係合態様に加えて第２係合態様によりガラス扉６０を開放角度θで前枠３０に対して定置することとなる。
【００７４】
このように、第１係合態様に第２係合態様を加えて、ガラス扉６０を前枠３０に対して定置することにより、ガラス扉６０の開放状態をより確実に保持することができ、開放機構１６０は、開放保持機構としてなすのである。
【００７５】
上述した開放機構１６０の構成から以下の如き対応関係が成立する。即ち、遊技盤３２から「遊技盤」が構成され、ガラス板６４から「ガラス」が構成され、ガラス扉６０から「ガラス扉」が構成され、外枠２０又は前枠３０から「支持枠」が構成され、開放機構１００及び１６０から「開放保持機構」が構成される。
【００７６】
また、係合部１５０から「第１ガラス扉係合部」が構成され、係合部１３０から「第１支持枠係合部」が構成され、端部１１４又は１１４′から「第１ガラス扉被係合部」が構成され、端部１１２から「第１支持枠被係合部」が構成され、支持杆１１０又は１１０′から「第１保持部材」が構成される。
【００７７】
更に、係合部２１０から「第２ガラス扉係合部」が構成され、係合部１９０から「第２支持枠係合部」が構成され、貫通孔１７８から「第２ガラス扉被係合部」が構成され、切欠き部１７６から「第２支持枠被係合部」が構成され、支持杆１７０から「第２保持部材」が構成される。
【００７８】
このような構成により、「前記ガラス扉の一定の位置に設けられた第１ガラス扉係合部及び第２ガラス扉係合部と、前記支持枠の一定の位置に設けられた第１支持枠係合部及び第２支持枠係合部と、前記第１ガラス扉係合部に係合し得る第１ガラス扉被係合部及び前記第１支持枠係合部に係合し得る第１支持枠被係合部を含む第１保持部材と、前記第２ガラス扉係合部に係合し得る第２ガラス扉被係合部及び前記第２支持枠係合部に係合し得る第２支持枠被係合部を含む第２保持部材と、を有」することをなす。
【００７９】
更に、上述した如き構成としたことにより、「前記第１ガラス扉係合部に前記第１ガラス扉被係合部が係合しかつ前記第１支持枠係合部に前記第１支持枠被係合部が第１係合態様として係合したときには、前記第１係合部が前記ガラス扉において設けられた位置と、前記第２係合部が前記支持枠において設けられた位置と、前記第１被係合部と前記第２被係合部との間の長さと、から前記支持枠に対する前記ガラス扉の開放角度が定まるとともに、前記第１係合態様に加えて、前記第２ガラス扉係合部に前記第２ガラス扉被係合部が係合しかつ前記第２支持枠係合部に前記第２支持枠被係合部が第２係合態様として係合したときには、前記第２ガラス扉係合部が前記ガラス扉において設けられた位置と、前記第２支持枠係合部が前記支持枠において設けられた位置と、前記第２ガラス扉被係合部と前記第２支持枠被係合部との間の長さと、から定まる角度は、前記開放角度と略同一となり、かつ、前記ガラス扉は、前記開放角度で前記支持枠に対して定置される」ことをなす。
【００８０】
これにより、第１係合態様のみならず第２係合態様をも補助的に加えてガラス扉を所定の角度で前記支持枠に対して定置することとなるが故に、ガラス扉が開放された状態において、開放状態を維持する際に必要となる係合部に加えられ得る力を分散することができ、開放状態をより確実に維持することができる。即ち、ガラス扉を所定の角度から開方向の移動についても閉方向の移動についても制限することができ、ガラス扉を開放して行う作業を迅速かつ的確に行うことができる。ガラス扉を開放して行う作業は、ガラス扉に対して行う作業、例えば、ガラスの取り付け作業等の作業のみならず、前枠や遊技盤に対して行う作業、例えば、釘調整等の作業であり、これらの作業を迅速かつ的確に行うことができ、作業の効率を高めることができるのである。
【００８１】
尚、上述した実施例においては、開放機構１６０の支持杆１７０の一方の端部１７４が、ガラス扉６０に枢軸可能に取り付けられている場合を示したが、支持杆１７０の全体が、前枠３０とガラス扉６０とに対して着脱可能となるような構成としてもよい。このような構成とした場合においては、上述した如き効果を奏するのみならず、ガラス扉６０を閉じたときに確保すべき支持杆１７０の収納空間の位置を考慮する必要がなくなり、所望とする任意の位置に開放機構１６０を設けることができるのである。
【００８２】
また、上述した図３〜図５においては、開放機構１６０をヒンジ部７０ｂの直上に設ける場合を示したが、これは図面の便宜で示したものであり、このような配置に限定されるものではなく、その他の位置に開放機構１６０を設けることとしてもよい。特に、開放機構１００からなるべく離隔させてヒンジ部７０ａの近傍の位置、例えばガラス扉６０の上辺部の近傍に開放機構１６０を設けることが好ましく、このようにすることにより、ガラス扉６０を開放したときには、ガラス扉６０からヒンジ部７０ａに加わる力を開放機構１６０に分散させることができるとともに、ガラス扉６０からヒンジ部７０ｂに加わる力を開放機構１００に分散させることができ、ガラス扉６０の開放保持状態をより的確に維持することができるのである。
【００８３】
尚、上述した例においては、開放機構１００に加えて開放機構１６０を設ける場合を示したが、開放機構１６０のみを設けることとしてもよい。この場合には、締結部材１９２を突出させる長さを変更することにより、開放角度を変更することができるので、開放機構１６０のみであっても所望とする開放角度でのガラス扉６０の開放状態を維持することができるのである。
【００８４】
また、開放機構１６０の支持杆１７０を複数種類、例えば、長さの異なるものや、端部１７２が屈曲する角度が異なるものを、予め用意しておき、所望とする開放角度に適合するものを選択して取り付けることとしてもよい。
【００８５】
さらに、ガラス枠８０に形成する取付孔１８２を複数の個所に設けることにより、支持杆１７０の支持部材１８０を取り付ける位置を変更してガラス扉６０の開放角度を異ならしめるようにすることとしてもよい。
【００８６】
上述した支持杆１１０又は１１０′からなる開放機構の他に、その他の代替の開放機構の例を図８に示す。この図８は、支持杆２３０の２つの端部の近傍を拡大して示した斜視図で、支持杆２３０の中程を省略して示したものである。また、上述した図３〜図７に示した要素と同様のものについては同一の符号を付して示した。
【００８７】
この開放機構２２０は、支持杆２３０と、前枠３０に設けられた係合部１３０と、ガラス扉６０に設けられた係合部２５０と、からなる。
【００８８】
支持杆２３０は、２つの端部２３２と２３４とを有し、帯状の長尺な形状を有する。支持杆２３０の端部２３２には、略９０度に折り曲げらた立設部２３５が形成されており、立設部２３５には、鍔部２３６を有する締結部材２３８が取り付けられている。また、支持杆２３０の端部２３４には、貫通孔（図示せず）が形成されており、ガラス枠８０のリブ部８６の直下のガラス扉本体６２には、締結部材２４０、例えばネジを螺合するためのネジ穴２４２が形成されている。支持杆２３０の端部２３４の貫通孔を介してネジ穴２４２に締結部材２４０を螺合させることにより、支持杆２３０をガラス扉６０に枢軸可能に設けることができる。
【００８９】
ガラス扉６０を前枠３０に対して開いたときに、締結部材２３８を係合部１３０の貫通溝１３２に挿嵌させたときには、締結部材２３８の下側の面は、貫通溝１３２の曲面に係合し、鍔部２３６は、係合部１３０の後面１３６に係合し、立設部２３５は、係合部１３０の前面１３８に係合することとなり、支持杆２３０を係合部１３０に的確に係止させることができるのである。
【００９０】
この開放機構２２０において、支持杆２３０の締結部材２３８を係合部１３０の貫通溝１３２に適切に挿嵌されたときには、前枠３０における貫通溝１３２の位置と、ガラス扉本体６２におけるネジ穴２４２の位置と、支持杆２３０の端部２３２と端部２３４との間の長さと、から、前枠３０に対するガラス扉６０の開放角度が定まり、その開放状態でガラス扉６０を保持することができ、開放機構２２０は、開放保持機構をなすこととなる。
【００９１】
また、上述した開放機構１００と同様に、係合部１３０には、複数個の貫通溝１３２が設けられているので、支持杆２３０の締結部材２３８を係合させる貫通溝を変えることにより、開放角度を異ならしめることができる。例えば、係合部１３０の左端に位置する貫通溝１３２に端部１１２を係合させたときには、ガラス扉６０をより大きい開放角度でガラス扉６０を保持することができるできるのである。
【００９２】
上述した開放機構２２０の構成から以下の如き対応関係が成立する。即ち、遊技盤３２から「遊技盤」が構成され、ガラス板６４から「ガラス」が構成され、ガラス扉６０から「ガラス扉」が構成され、外枠２０又は前枠３０から「支持枠」が構成され、開放機構２２０から「開放保持機構」が構成される。
【００９３】
また、係合部２５０から「第１係合部」が構成され、係合部１３０から「第２係合部」が構成され、端部２３４から「第１被係合部」が構成され、端部２３２から「第２被係合部」が構成され、支持杆２３０から「保持部材」が構成される。
【００９４】
このような構成により、「前記ガラス扉の下辺部の一定の位置に設けられた第１係合部と、前記支持枠の一定の位置に設けられた第２係合部と、前記第１係合部に係合し得る第１被係合部及び前記第２係合部に係合し得る第２被係合部を含む保持部材と、を有」することをなす。
【００９５】
更に、上述した如き構成としたことにより、「前記第１係合部に第１被係合部が係合するとともに、前記第２係合部に第２被係合部が係合したときには、前記ガラス扉は、前記第１係合部が前記ガラス扉において設けられた位置と、前記第２係合部が前記支持枠において設けられた位置と、前記第１被係合部と前記第２被係合部との間の長さと、から定まる角度で前記支持枠に対して定置される」ことをなす。
【００９６】
これにより、第１係合部に第１被係合部が係合するとともに、第２係合部に第２被係合部が係合したときには、ガラス扉を所定の角度で前記支持枠に対して定置することとなるが故に、ガラス扉が開放された状態を維持することができる。即ち、ガラス扉を所定の角度から開方向の移動についても閉方向の移動についても制限することができ、ガラス扉を開放して行う作業を迅速かつ的確に行うことができる。ガラス扉を開放して行う作業は、ガラス扉に対して行う作業、例えば、ガラスの取り付け作業等の作業のみならず、前枠や遊技盤に対して行う作業、例えば、釘調整等の作業であり、これらの作業を迅速かつ的確に行うことができ、作業の効率を高めることができるのである。
【００９７】
また、この開放機構２２０と上述した開放機構１６０とを組み合わせることもでき、このような構成としたときには、開放機構２２０による係合は、上述した如き第１係合態様をなし、開放機構１６０による係合は、上述した如き第２係合態様をなすこととなる。このように、この開放機構２２０と開放機構１６０とを組み合わせたときには、第１係合態様のみならず第２係合態様をも補助的に加えてガラス扉を所定の角度で前記支持枠に対して定置することとなるが故に、ガラス扉が開放された状態において、開放状態を維持する際に必要となる係合部に加えられ得る力を分散することができ、開放状態をより確実に維持することができる。即ち、ガラス扉を所定の角度から開方向の移動についても閉方向の移動についても制限することができ、ガラス扉を開放して行う作業を迅速かつ的確に行うことができる。ガラス扉を開放して行う作業は、ガラス扉に対して行う作業、例えば、ガラスの取り付け作業等の作業のみならず、前枠や遊技盤に対して行う作業、例えば、釘調整等の作業であり、これらの作業を迅速かつ的確に行うことができ、作業の効率を高めることができるのである。
【００９８】
更に、支持杆２３０が収容されたときには、ガラス枠８０のリブ部８６の直下、具体的には、上述した図７の破線の円で示した領域に位置付けられることとなる。このように支持杆２３０をリブ部８６の直下に収容できることとしたことにより、支持杆２３０を収容すべき空間を新たに確保する必要がなくなるので、従来から存在する弾球遊技機の構成を活用することができるとともに、ガラス扉６０を開いて作業をする際において、支持杆２３０を紛失することがなくなるので、作業性を低下させることもなくなる。
【００９９】
また、図８に示した例においては、ガラス扉６０側に設ける支持杆の端部をガラス扉本体６２に設ける場合を示したが、その他の位置に支持杆の端部を設けることとしてもよい。例えば、図９（ａ）に示す如く、ガラス枠８０のリブ部８６に貫通孔８８を設けるとともに、支持杆２６０の端部にねじ山を形成し、支持杆２６０の端部２６２をリブ部８６の貫通孔８８に挿嵌してナット２６４を螺合することにより、支持杆２６０をガラス枠８０に対して回動自在に設けることとしてもよい。
【０１００】
このような構成とした場合には、貫通孔８８から「第１係合部」が構成され、端部２６２から「第１被係合部」が構成され、支持杆２６０から「保持部材」が構成されることとなる。
【０１０１】
このようにしたことにより、ガラス扉を所定の角度から開方向の移動についても閉方向の移動についても制限することができ、ガラス扉を開放して行う作業を迅速かつ的確に行うことができることとなる。
【０１０２】
また、図９（ｂ）に示す如く、リブ部８６の直下に位置するようにガラス枠８０にＬ字形状の収容支持部材９０を設け、支持杆２６０を収容する際には、この収容支持部材９０上に支持杆２６０を収容することができる。このような構成とした場合でも、支持杆２６０を収容すべき空間を新たに確保する必要がなくなるので、従来から存在する弾球遊技機の構成を活用することができるとともに、ガラス扉６０を開いて作業をする際において、支持杆２６０を紛失することがなくなるので、作業性を低下させることもなくなるのである。
【０１０３】
更に、図９（ｂ）に示した如く、支持杆２６０が収容支持部材９０上に収容されたときには、支持杆２６０を係止させることができるので、支持杆２６０を用いるまでもない程度の作業をする際において、支持杆２６０が突然突き出ることを防止することができ、支持杆２６０が作業を妨げるような不具合も防止することができるのである。
【０１０４】
尚、上述した図９（ａ）及び（ｂ）においては、白抜きの矢印が遊技機の前方を示す。
【０１０５】
上述した如く、遊技機１０には、遊技機１０の前方向に開閉自在にガラス扉６０が設けられており、ガラス扉６０には、ガラス扉６０の開口部６６を周回するようにガラス枠８０が設けられている。以下においては、ガラス枠８０に設けられる上部制限部材と下部制限部材とについて述べる。
【０１０６】
ガラス枠８０を部分的に拡大して示した部分拡大斜視図を図１０に示す。尚、この図１０は、ガラス枠８０の横方向の中程と縦方向の中程とを省略して示したものである。また、図１１（ａ）は、図１０に示したＶ−Ｖ線に沿った断面図で、後述するガラス溝にガラス板が収容される過程を示すものであり、図１１（ｂ）は、図１０に示したＶ′−Ｖ′線に沿った断面図で、ガラス溝にガラス板が収容されたときの状態を示すものである。
【０１０７】
更に、図１２（ａ）は、ガラス枠８０の上部の左側と右側とを拡大して示した背面図であり、図１２（ｂ）は、ガラス扉６０とガラス枠８０との左側と右側とを拡大して示した断面図であり、図１２（ｂ）の右側は、図１０に示したＶＩ−ＶＩ線に沿った断面図であり、図１２（ｂ）の左側は、図１０に示したＶＩＩ−ＶＩＩ線に沿った断面図である。図１０〜図１２中に示した白抜きの矢印が遊技機１０やガラス扉６０の前方を示す。
【０１０８】
ガラス枠８０の上部には、ガラス板の２つの挿入端部２８０と２８２とが形成されており、挿入端部２８０と２８２との下方には、ガラス枠８０の左右の側辺によって、ガラス溝２８４と２８６とが形成されている。尚、図１０〜図１２に示した例においては、ガラス溝２８４は、ガラス枠８０のみによって形成され、ガラス溝２８６は、ガラス枠８０とガラス扉６０とによって形成される。
【０１０９】
ガラス溝２８４は、ガラス枠の右側に形成される２８４Ｒと、ガラス枠の左側に形成される２８４Ｌと、ガラス枠の下辺に形成される２８４Ｂと、からなる。また、ガラス溝２８６は、ガラス枠の右側に形成される２８６Ｒと、ガラス枠の左側に形成される２８６Ｌと、ガラス枠の下辺に形成される２８６Ｂと、からなる。
【０１１０】
これらのガラス溝２８４Ｒ、２８４Ｌ及び２８４Ｂ、並びに２８６Ｒ、２８６Ｌ及び２８６Ｂは、互いに離隔して向かい合う２つの側部を有する。図１１及び図１２に示す如くガラス溝２８４Ｒ、２８４Ｌ及び２８４Ｂの一方の側壁３００は、ガラス扉６０の前側に位置する側壁であり、ガラス枠８０又はガラス扉６０から構成される。一方、ガラス溝２８４Ｒ、２８４Ｌ及び２８４Ｂの他方の側壁３０２は、側壁３００よりも後側に位置する側壁であり、ガラス枠８０から構成される。また、ガラス溝２８６Ｒ、２８６Ｌ及び２８６Ｂの一方の側壁３０４は、ガラス扉６０の後側に位置する側壁であり、ガラス枠８０から構成される。一方、ガラス溝２８６Ｒ、２８６Ｌ及び２８６Ｂの他方の側壁３０６は、側壁３０４よりも後側に位置する側壁であり、ガラス枠８０から構成される。
【０１１１】
このように構成したことにより、「離隔した２つの側部を有」する「ガラス枠」をなす。
【０１１２】
ガラス溝２８４Ｒ、２８４Ｌ及び２８４Ｂは、前側のガラス板６４ａを案内して収容するためのものであり、ガラス溝２８６Ｒ、２８６Ｌ及び２８６Ｂは、後側のガラス板６４ｂを案内して収容するためのものである。
【０１１３】
また、図１１（ｂ）に示す如く、ガラス溝２８４Ｒ、２８４Ｌ及び２８４Ｂ、並びに２８６Ｒ、２８６Ｌ及び２８６Ｂの幅ｂ１は、ガラス板６４ａ及び６４ｂの板厚よりも若干広く形成されている。
【０１１４】
上述した如き構成としたことにより、「少なくとも２枚のガラスを着脱可能に収容する遊技機のガラス枠」をなすとともに、「ガラスの板厚よりも広い間隔で互いに離隔した２つの側部を有しかつ前記２つの側部の間に挿入されたガラスを案内するガラス溝」をなす。
【０１１５】
上述したガラス溝２８４Ｒ、２８４Ｌ及び２８４Ｂと、２８６Ｒ、２８６Ｌ及び２８６Ｂと、の間には、リブ部８６が形成されている。尚、以下においては、ガラス溝２８４Ｒと２８６Ｒとの間に形成されるリブ部をリブ部８６Ｒと称し、ガラス溝２８４Ｌと２８６Ｌとの間に形成されるリブ部をリブ部８６Ｌと称し、ガラス溝２８４Ｂと２８６Ｂとの間に形成されるリブ部をリブ部８６Ｂと称する。
【０１１６】
上述したリブ部８６Ｒと８６Ｌとの上部には、リブ部８６Ｒと８６Ｌとの間に架け渡される補強連杆３１０が着脱自在に設けられている。補強連杆３１０は、金属製、例えばアルミ製で、長尺な帯状の形状を有する。補強連杆３１０の２つの端部の各々には、立設部３１２Ｒ及び３１２Ｌとが形成されている。補強連杆３１０は、多少の弾性的性質を呈し、立設部３１２Ｒをリブ部８６Ｒの上端部に係合させ、立設部３１２Ｌをリブ部８６Ｌの上端部に係合させることにより、補強連杆３１０をガラス枠８０に取り付けることができる。
【０１１７】
また、リブ部８６Ｒの上端部には、上部制限部材３２０Ｒが設けられ、リブ部８６Ｌの上端部には、上部制限部材３２０Ｌが設けられている。また、リブ部８６Ｂの上側には、下部制限部材３３０が着脱自在に設けられている。これらの上部制限部材３２０Ｒ及び３２０Ｌと、下部制限部材３３０とは、ガラス板の移動を制限する部材であり、弾性変形可能な材料、例えば、ＡＢＳやポリプロピレン等の比較的軟質な樹脂から成形されている。
【０１１８】
上部制限部材３２０Ｒの側部には、Ｌ字形状の掛止部３２２Ｒが形成され、上部制限部材３２０Ｌの側部には、Ｌ字形状の掛止部３２２Ｌが形成されている。一方、リブ部８６Ｒには、掛止孔３２４Ｒが形成され、リブ部８６Ｌには、掛止孔３２４Ｌが形成されている。上部制限部材３２０Ｒは、掛止部３２２Ｒにより掛止孔３２４Ｒに掛止され、上部制限部材３２０Ｌは、掛止部３２２Ｌにより掛止孔３２４Ｌに掛止されることによって、上部制限部材３２０Ｒと３２０Ｌとは、ガラス枠８０に取り付けられる。尚、上述した上部制限部材３２０Ｒと３２０Ｌとは、対称形状となるように成形されている。
【０１１９】
また、下部制限部材３３０の下部には、図１０（ｃ）及び図１１（ａ）に示す如く、Ｌ字形状の掛止部３３２が形成されており、リブ部８６Ｂには、図１１（ａ）及び図１２（ｂ）に示す如く、掛止孔３３４が形成されている。下部制限部材３３０は、掛止部３３２により掛止孔３３４に掛止されることにより、ガラス枠８０に取り付けられる。
【０１２０】
また、下部制限部材３３０の上面には、２つの孔部が形成されている。この孔部は、下部制限部材３３０を成形する際に形成される抜き穴であるが、この孔部に取外し用工具を挿入することにより、下部制限部材３３０をリブ部８６Ｂから取り外すこととしてもよい。
【０１２１】
図１１（ｂ）に示す如く、ガラス溝２８４及び２８６とにガラス板６４ａ及び６４ｂが収容されていないときにおける上部制限部材３２０Ｒ及び３２０Ｌと下部制限部材３３０との幅ｗ１は、隣り合うガラス溝の側壁３０２と３０４の間隔ｗよりも広くなるように、上部制限部材３２０Ｒ及び３２０Ｌと下部制限部材３３０とは、形成されており、このとき、図１１（ａ）に示す如く、上部制限部材３２０Ｒ及び３２０Ｌと下部制限部材３３０との端部は、延出分ｅだけガラス溝に延出することとなる。これにより、「前記ガラス溝に延出する弾性変形可能な延出部材を有」することをなす。
【０１２２】
延出部材は、弾性変形可能なものとしたことにより、ガラス板の着脱作業をする際には、延出部材は弾性変形し得、延出部材が存在しても作業を妨げることがなく、着脱作業の効率を低下させることなく、ガラス板を的確に収容することができる。
【０１２３】
上述した如く、上部制限部材３２０Ｒ及び３２０Ｌと下部制限部材３３０とは、弾性変形可能な材料から構成されており、ガラス溝２８４及び２８６とにガラス板６４ａ及び６４ｂが収容されたときには、上部制限部材３２０Ｒ及び３２０Ｌと下部制限部材３３０とによって、ガラス板６４ａ及び６４ｂは押圧されることとなる。具体的には、ガラス板６４ａは、ガラス溝の側壁３００の方向へ押圧され、ガラス板６４ｂは、ガラス溝の側壁３０６の方向へ押圧される。これにより、ガラス板６４ａは、上部制限部材３２０Ｒ及び３２０Ｌ並びに下部制限部材３３０と、ガラス溝の側壁３００とによって挟持され、ガラス板６４ｂは、上部制限部材３２０Ｒ及び３２０Ｌ並びに下部制限部材３３０と、ガラス溝の側壁３０６とによって挟持されることとなる。
【０１２４】
上述した側壁３００、３０２、３０４及び３０６から「側部」が構成され、上部制限部材３２０Ｒ及び３２０Ｌ並びに下部制限部材３３０から「延出部材」が構成される。このようにしたことにより、「前記側部と前記延出部材とによってガラスは挟持される」ことをなす。
【０１２５】
このようにしたことにより、側部と延出部材とによって、ガラス板は押圧されることとなり、ガラス板の前後方向、上下方向、左右方向のいずれの方向の移動をも制限することができ、ガラス板とガラス枠との間に隙間が生じ難くなるので、遊技盤や遊技媒体に対する不正行為を防止することができるのである。
【０１２６】
尚、上部制限部材３２０Ｒ及び３２０Ｌ並びに下部制限部材３３０の全体が弾性変形可能である必要はなく、延出する部分が弾性変形可能な部材からなれば、本願の目的を達成できる。
【０１２７】
また、上部制限部材３２０Ｒ及び３２０Ｌは、図１１（ａ）に示す如く、その上端部に傾斜部３２６を有し、ガラス板が斜めに挿入されたような場合であっても、ガラス板をガラス溝に導入することができ的確にガラス溝に案内することができるのである。
【０１２８】
上述した例においては、ガラスの移動を制限するための上部制限部材が補強連杆と別体となった場合を示したが、以下においては、上部制限部材が補強連杆と一体となった実施例を図１３〜図１５に示す。図１３は、上部制限部材３５０と、下部制限部材３８０と、横方向の中程と縦方向の中程とを省略して示した斜視図であり、図１０に示した如きガラス枠８０を省略して示したものである。また、図１４は、図１３に示したＶＩＩＩ−ＶＩＩＩ線に沿った断面図であり、ガラス溝にガラス板が収容される過程を示すものである。更に、図１５（ａ）の右側の図は、図１３に示したＩＸ−ＩＸ線に沿った断面図であり、図１５（ａ）の左側の図は、図１３に示したＸ−Ｘ線に沿った断面図であり、図１５（ｂ）の右側の図は、上部制限部材３５０の長手方向に沿った断面図であり、下部制限部材３８０の長手方向に沿った断面図である。また、図１３〜図１５中に示した白抜きの矢印が遊技機の前方を示す。尚、図１３〜図１５においては、図１０〜図１２に示した要素と同様のものについては同一の符号を付して示した。
【０１２９】
図１３に示す如く、上部制限部材３５０は、弾性変形可能であるとともに剛性を有する材料、例えば、ＡＢＳやポリアセタール（ＰＯＭ）等の樹脂から成形され、長尺な形状を有する天部３５２と、天部３５２の左右の端部の下側に形成された２つの脚部３５４及び３５６と、からなる。また、図１３及び図１４（ａ）に示す如く、天部３５２の前側と後側には、傾斜部３５８と３６０とが形成されており、傾斜部３５８の下側には延出部３６２Ｒ及び３６２Ｌが形成され、傾斜部３６０の下側には延出部３６４Ｒ及び３６４Ｌが形成されている。
【０１３０】
図１４（ａ）に示す如く、延出部３６２Ｒ及び３６２Ｌは、ガラス溝２８４Ｒ及び２８４Ｌ側に延出し、延出部３６４Ｒ及び３６４Ｌは、ガラス溝２８６Ｒ及び２８６Ｌ側に延出する。
【０１３１】
また、図１３及び図１５（ａ）に示す如く、脚部３５４の側面には、Ｌ字形状の掛止部３６６Ｌが形成され、脚部３５６の側面には、Ｌ字形状の掛止部３６６Ｒが形成されている。上述した図１０〜図１２に示した例と同様にガラス枠８０のリブ部８６Ｒには、掛止孔３２４Ｒが形成され、リブ部８６Ｌには、掛止孔３２４Ｌが形成されている。
【０１３２】
上部制限部材３５０をガラス枠８０に取り付けたときには、掛止部３６６Ｌは掛止孔３２４Ｌに掛止され、掛止部３６６Ｒは掛止孔３２４Ｒに掛止されることとなる。
【０１３３】
上部制限部材３５０がガラス枠８０に取り付けられた後、ガラス板がガラス枠８０に収容される。上述した如く、上部制限部材３５０は、弾性変形可能な材料で構成されているが故に、ガラス板をガラス溝に収容する作業が行われている間においては、延出部３６２Ｒ及び３６２Ｌ、又は延出部３６４Ｒ及び３６４Ｌは、ガラス板６４ａ又は６４ｂによって押圧されて一旦変形する。図１４（ｂ）に示す如く、収容作業が終了して、ガラス溝２８４Ｒと２８４Ｌとにガラス板６４ａが収容されたときには、延出部３６２Ｒ及び３６２Ｌは、元に戻り、ガラス板６４ａの上側に延出することとなる。このとき、延出部３６２Ｒ及び３６２Ｌの下面はガラス板６４ａの上端部に係合して、ガラス板６４ａをガラス枠８０に係止させることができるのである。
【０１３４】
また、上述した如く、上部制限部材３５０の天部３５２は、長尺な形状であるが故に、上部制限部材３５０がガラス枠８０に取り付けられたときには、上部制限部材３５０は、ガラス枠８０の上部に形成された２つの挿入端部２８０と２８２とに連結されることとなり、上部制限部材３５０は、補強連杆としてもなすこととなる。このような構成としたことにより、部材の数を減らすことができ、遊技機全体のコストを低く抑えることができるのである。
【０１３５】
尚、上部制限部材３５０の後側には、スリット３８８が設けられている。これにより、延出部３６２Ｒ及び３６２Ｌや、延出部３６４Ｒ及び３６４Ｌを変形し易くさせることができるので、ガラス板６４ａや６４ｂをガラス枠８０に取り付ける作業を容易にすることができるのである。更に、上部制限部材３５０にスリット３８８を形成したことにより、上部制限部材３５０の材質として比較的硬質な樹脂を用いた場合であっても、延出部３６２Ｒ及び３６２Ｌや、延出部３６４Ｒ及び３６４Ｌを十分に弾性変形させることができるのである。
【０１３６】
図１３に示す如く、上部制限部材３５０の下方には、下部制限部材３８０が設けられている。下部制限部材３８０は、弾性変形可能な材料、例えば樹脂等から成形され、長尺な形状を有する。
【０１３７】
下部制限部材３８０の下部には、上述した下部制限部材３３０と同様のＬ字形状の掛止部３８２が形成されており、リブ部８６Ｂに形成された掛止孔３３４に掛止部３８２が掛止されることにより、下部制限部材３８０をガラス枠８０に取り付けることができる。尚、下部制限部材３８０の上面には、下部制限部材３３０と同様に、下部制限部材３８０をリブ部８６Ｂから取り外すための２つの取外し用孔部が形成されている。
【０１３８】
下部制限部材３８０の前側には、延出部３８４Ｒ及び３８４Ｌが形成され、後側には、延出部３８６Ｒ及び３８６Ｌが形成されている。下部制限部材３８０がリブ部８６Ｂに取り付けられたときには、延出部３８４Ｒ及び３８４Ｌは、ガラス溝２８４Ｒ及び２８４Ｌに延出し、延出部３８４Ｒ及び３８４Ｌは、図１４（ｂ）に示す如く、ガラス溝２８６Ｒ及び２８６Ｌに延出することとなる。
【０１３９】
上述した如く、下部制限部材３８０は、弾性変形可能な材料から構成されており、ガラス溝２８４及び２８６とにガラス板６４ａ及び６４ｂが収容されたときには、下部制限部材３８０によって、ガラス板６４ａ及び６４ｂは押圧されることとなる。上述した下部制限部材３３０と同様に、ガラス板６４ａは、ガラス溝の側壁３００の方向へ押圧され、ガラス板６４ｂは、ガラス溝の側壁３０６の方向へ押圧される。これにより、ガラス板６４ａは、下部制限部材３８０とガラス溝の側壁３００とによって挟持され、ガラス板６４ｂは、下部制限部材３８０とガラス溝の側壁３０６とによって挟持されることとなる。このようにしたことにより、「前記側部と前記延出部材とによってガラスは挟持される」ことをなす。
【０１４０】
このような構成とすることによっても、側部と延出部材とによって、ガラス板は押圧されることとなり、ガラス板の移動を制限することができ、ガラス板とガラス枠との間に隙間が生じ難くなるので、遊技盤や遊技媒体に対する不正行為を防止することができるのである。
【０１４１】
尚、上部制限部材３５０及び下部制限部材３８０の全体が弾性変形可能である必要はなく、延出する部分が弾性変形可能な部材からなれば、本願の目的を達成できる。
【０１４２】
また、上部制限部材３５０の前面には切欠き部３９０が設けられている。ガラス板の交換作業等の作業中において、作業者は、この切欠き部３９０にその作業者の手を係合させることができるので、上部制限部材３５０の着脱作業を容易にすることができるのである。
【０１４３】
尚、上部制限部材３５０の脚部３５４及び３５６は、上部制限部材３５０の上端部又は下端部に至るまで伸長させる必要はなく、上部制限部材３５０をガラス枠８０の挿入端部の近傍に係合させることができればよい。
【０１４４】
更に、図１０〜図１２に示した装置でガラス板の交換や釘の調整等の作業を行う間においては、補強連杆は、ガラス枠から取り外され、取り外された補強連杆は、ガラス枠に再び取り付けられるまで、何らの作業にも用いられることのないものであった。このように、図１０〜図１２に示した装置においては、この着脱可能な補強連杆は、補強連杆としての用途以外には用いられないものであった。
【０１４５】
このような着脱可能な補強連杆を開放保持機構の支持杆として用いる例を図１６に示す。尚、図１６は、補強連杆４００の中程を省略し、ガラス扉６０と払出口庇部４２との一部分を拡大して示した部分拡大斜視図である。また、上述してきた実施例における要素と同様のものについては同一の符号を付して示した。
【０１４６】
補強連杆４００の２つの端部の各々には、係合孔４０２及び４０４が形成されている。係合孔４０２は、円形の貫通孔であり、係合孔４０４は、円形部と長円部とを組み合わせた貫通孔である。
【０１４７】
払出口庇部４２の上面には、複数の係合部４０６が形成されている。係合部４０６は、円柱形の突出部４０８と円柱形の座部４１０とからなる。突出部４０８は、その直径が係合孔４０２の直径よりも若干小さくなるように形成されている。また、ガラス枠８０の伸長部８２には、係合部４１２が形成されており、係合部４１２は、円柱形の頭部４１４と円柱形の軸部４１６とからなる。頭部４１４は、その直径が係合孔４０４の円形部の直径よりも若干小さくなるように形成され、軸部４１６は、その直径が係合孔４０４の長円部の幅よりも若干小さくなるように形成されている。
【０１４８】
図１６（ｂ）に示す如く、補強連杆４００の係合孔４０２を係合部４０６の突出部４０８に係合させ、係合孔４０４を係合部４１２の軸部４１６に係合させることにより、ガラス枠から取り外された補強連杆４００は、支持杆１１０等の支持杆としてなし、開放保持機構を構成することができるのである。
【０１４９】
このような構成とした場合には、前枠３０における係合部４０６の位置と、ガラス扉６０における係合部４１２の位置と、補強連杆４００の係合孔４０２と係合孔４０４との間の長さと、から、前枠３０に対するガラス扉６０の開放角度が定まり、その開放状態でガラス扉６０を保持することができ、補強連杆４００による開放保持機構をなすこととなる。
【０１５０】
この場合には、係合部４１２から「第１係合部」が構成され、係合部４０６から「第２係合部」が構成され、補強連杆４００の係合孔４０４から「第１被係合部」が構成され、補強連杆４００の係合孔４０２から「第２被係合部」が構成され、補強連杆４００から「保持部材」が構成される。
【０１５１】
上述した図１６に示した補強連杆は、着脱可能なものであり、補強連杆をガラス枠から取り外して開放保持機構の保持部材として用いるものであったが、補強連杆をガラス枠に係合させた状態を維持して開放機構を構成する例を図１７に示す。尚、図１７（ａ）は、ガラス扉６０と補強連杆４３０との中程を省略して、これらの端部を拡大して示した部分拡大図である。尚、図１７（ｂ）は、補強連杆４３０との中程を省略して、ガラス扉６０と、前枠３０とを部分的に拡大して示した部分拡大図である。また、上述してきた実施例における要素と同様のものについては同一の符号を付して示した。
【０１５２】
補強連杆４３０の一方の端部４３２には、先端部が傾斜状に形成された略円柱形の支持棒４４０が設けられている。一方、ガラス枠８０の挿入端部４６０Ｌには、略水平の支持延出部４５０が形成されている。支持延出部４５０には、支持棒４４０の直径よりも若干大きい直径を有する支持孔４５２が形成されている。支持延出部４５０の支持孔４５２には、補強連杆４３０の支持棒４４０が、引出し及び押込み自在に取り付けられている。
【０１５３】
補強連杆４３０の他方の端部４３４は、Ｌ字形状であり、ガラス枠８０の挿入端部４６０Ｒに係合し得るように弾性変形可能になされている。
【０１５４】
このような構成としたことにより、補強連杆４３０の端部４３４は、ガラス枠８０の挿入端部４６０Ｒに係合し得るとともに、補強連杆４３０の支持棒４４０は、ガラス枠８０の支持孔４５２に係合し得ることとなり、「前記挿入端部に係合して前記ガラス枠を補強する補強連杆」をなす。
【０１５５】
補強連杆４３０が、補強連杆としてガラス枠８０に取り付けられるときには、図１７（ａ）の実線に示す如く、端部４３２の支持棒４４０は、ガラス枠８０の支持孔４５２に押込まれるとともに、端部４３４は、ガラス枠８０の挿入端部４６０Ｒに係合される。
【０１５６】
一方、ガラス扉６０が開放されて、補強連杆４３０が、支持杆としてなすときには、補強連杆４３０の端部４３４は、ガラス枠８０の挿入端部４６０Ｒから離脱するとともに、補強連杆４３０の端部４３２に設けられた支持棒４４０は引き出され、補強連杆４３０は、全体として上方向に移動される。
【０１５７】
更に、支持棒４４０を中心に補強連杆４３０を回動せしめたときには、図１７（ａ）の二点鎖線及び図１７（ｂ）に示す如く、前枠３０に形成された係合延出部４７０に補強連杆４３０の端部４３４を係合させることができる。
【０１５８】
このように、補強連杆４３０は、支持棒４４０を中心に回動可能な構成であり、「前記挿入端部の近傍に枢設されている」ことをなす。ここで、「枢設」とは、回動自在に設けられていることを示す概念である。
【０１５９】
上述した如き構成としたことにより、「前記挿入端部に係合して前記ガラス枠を補強する補強連杆が、前記挿入端部の近傍に枢設されていること」をなし、補強連杆をガラス枠の挿入端部から離脱させたときであっても、補強連杆はガラス枠自体から分離することはなく、補強連杆を取り外して作業を行うような場合であっても、補強連杆を見失ったり紛失したりすることがなくなり、ガラス扉を開放して行う作業、例えば、ガラスの着脱作業や釘調整等の作業を迅速かつ的確に行うことができ、作業の効率を高めることができるのである。
【０１６０】
また、上述した支持孔４５２から「第１係合部」が構成され、係合延出部４７０から「第２係合部」が構成され、支持棒４４０から「第１被係合部」が構成され、端部４３４から「第２被係合部」が構成され、補強連杆４３０から「保持部材」が構成される。
【０１６１】
このように構成したことにより、端部４３４が係合延出部４７０に適切に係合されたときには、前枠３０における係合延出部４７０の位置と、ガラス扉６０における支持孔４５２の位置と、補強連杆４３０の支持棒４４０と端部４３４との間の長さと、から、前枠３０に対するガラス扉６０の開放角度が定まり、その開放状態でガラス扉６０を保持することができ、図１７に示した如き機構は、開放保持機構をなすこととなる。
【０１６２】
これにより、「前記第１係合部に第１被係合部が係合するとともに、前記第２係合部に第２被係合部が係合したときには、前記ガラス扉は、前記第１係合部が前記ガラス扉において設けられた位置と、前記第２係合部が前記支持枠において設けられた位置と、前記第１被係合部と前記第２被係合部との間の長さと、から定まる角度で前記支持枠に対して定置される」ことをなす。それゆえ、ガラス扉を所定の角度で定置することとなるが故に、ガラス扉を所定の角度から開方向の移動についても閉方向の移動についても制限することができ、ガラス扉を開放して行う作業を迅速かつ的確に行うことができ、作業の効率を高めることができるのである。
【０１６３】
【発明の効果】
遊技機の前方に位置付けられるガラス扉を開放しなければ行うことができない作業を迅速かつ的確に行うことができるとともに、遊技機に取り付けられたガラス板を的確に収容することにより、ガラス板とガラス枠との間に隙間が生じさせ難いし、遊技盤や遊技媒体に対する操作により行われる不正行為を未然に防止することができる。
【図面の簡単な説明】
【図１】本発明に係る弾球遊技機の概観を示す正面図である。
【図２】本発明に係る弾球遊技機のガラス扉と上皿とを開放したときにおける概観を示す正面図である。
【図３】第１の開放保持機構と第２の開放保持機構とを示す斜視図である。
【図４】図２に示したＩ−Ｉ線に沿った開放保持機構を示す断面図である。
【図５】図２に示したＩＩ−ＩＩ線に沿った開放保持機構を示す断面図である。
【図６】遊技機１０の前面の右側と左側とを拡大して示した断面図である。
【図７】図１のＩＶ−ＩＶ線に沿った断面を示す断面図である。
【図８】開放保持機構の他の実施例を示す斜視図である。
【図９】支持杆の他の実施例を示す断面図である。
【図１０】ガラス枠８０を部分的に拡大して示した部分拡大斜視図である。
【図１１】図１０に示したＶ−Ｖ線に沿ったガラス枠８０を示す断面図である。
【図１２】ガラス枠８０の上部の左側と右側とを拡大して示した背面図である。
【図１３】上部制限部材３５０と、下部制限部材３８０と、横方向の中程と縦方向の中程とを省略して示した斜視図である。
【図１４】図１３に示したＶＩＩＩ−ＶＩＩＩ線に沿った上部制限部材３５０と、下部制限部材３８０と、を示す断面図である。
【図１５】上部制限部材３５０と、下部制限部材３８０と、を示す断面図（ａ）と、正断面図（ｂ）と、である。
【図１６】補強連杆４００の中程を省略し、ガラス扉６０と払出口庇部４２との一部分を拡大して示した部分拡大斜視図である。
【図１７】ガラス扉６０と補強連杆４３０との中程を省略して、これらの端部を拡大して示した部分拡大図（ａ）と、補強連杆４３０との中程を省略して、ガラス扉６０と、前枠３０とを部分的に拡大して示した部分拡大図（ｂ）である。
【符号の説明】
１０　弾球遊技機
２０　外枠
３０　前枠
３２　遊技盤
６０　ガラス扉
６４ａ、６４ｂ　ガラス板
８０　ガラス枠
８８　貫通孔
１００　開放機構
１１０、１１０′　支持杆
１１２　端部
１１４、１１４′　端部
１３０　係合部
１３２　貫通溝
１５０　係合部
１５２　貫通孔
１６０　開放機構
１７０　支持杆
１７２、１７４　端部
１７８　貫通孔
１８０　支持部材
１９０　係合部
２１０　係合部
２２０　開放機構
２３０　支持杆
２３２、２３４　端部
２５０　係合部
２６０　支持杆
２６２　端部
２８０、２８２　挿入端部
２８４Ｒ、２８４Ｌ及び２８４Ｂ　ガラス溝
２８６Ｒ、２８６Ｌ及び２８６Ｂ　ガラス溝
３１０　補強連杆
３２０Ｒ、３２０Ｌ　上部制限部材
３３０　下部制限部材
３５０　上部制限部材
３８０　下部制限部材
４００　補強連杆
４０２、４０４　係止孔
４０６　係止部
４１２　係止部
４３０　補強連杆
４３２、４３４　端部
４４０　支持棒
４５０　支持延出部
４５２　支持孔
４６０Ｒ　挿入端部
４６０Ｌ　挿入端部
４７０　係合延出部
【図１】
2004057457.tif 000003
【図２】
2004057457.tif 000004
【図３】
2004057457.tif 000005
【図４】
2004057457.tif 000006
【図５】
2004057457.tif 000007
【図６】
2004057457.tif 000008
【図７】
2004057457.tif 000009
【図８】
2004057457.tif 000010
【図９】
2004057457.tif 000011
【図１０】
2004057457.tif 000012
【図１１】
2004057457.tif 000013
【図１２】
2004057457.tif 000014
【図１３】
2004057457.tif 000015
【図１４】
2004057457.tif 000016
【図１５】
2004057457.tif 000017
【図１６】
2004057457.tif 000018
【図１７】
2004057457.tif 000019